(57)【要約】【課題】容易に且つ安価に飛散水が手乾燥部から飛び散ることの防止をすることができる手乾燥装置を提供することを課題とする。【解決手段】手１を挿入可能な開口部を有し風が供給されるキャビティを有する本体１２を備える手乾燥装置１０において、前記開口部を前記キャビティに対して左右からの手１の挿入を許容する程度に形成し、前記キャビティ中央部上方及び／又はキャビティ側方が遮断された本体１２を備える。【選択図】        図１
2004275507.tif 000002
【特許請求の範囲】
【請求項１】
手を挿入可能な開口部を有し風が供給されるキャビティを有する本体を備える、手乾燥装置であって、
前記開口部は、前記キャビティに対して左右からの手の挿入を許容する程度に形成され、前記キャビティ中央部上方及び／又はキャビティ側方が遮断された本体を備える、手乾燥装置。
【請求項２】
前記キャビティ中央部上方及び／又は前記キャビティ側方は、前記本体とは別に備えられるカバー体によって遮断されている、請求項１に記載の手乾燥装置。
【請求項３】
前記キャビティ中央部上方を、本体開口部から所定の高さ位置にて遮断するカバー体を備える、請求項２に記載の手乾燥装置。
【請求項４】
前記カバー体は、前記本体に対して脱着可能に備えられている、請求項２又は３に記載の手乾燥装置。
【請求項５】
前記カバー体には、当該カバー体に付着した飛散水をキャビティ下方に流下させる案内部材を備えている、請求項２〜４のいずれかに記載の手乾燥装置。
【請求項６】
手を挿入可能な開口部を有し風が供給されるキャビティを有する本体を備える手乾燥装置に装着するカバー体であって、
前記開口部を、前記キャビティに対して左右からの手の挿入を許容すると共に、前記キャビティ中央部上方及び／又はキャビティ側方を遮断する、カバー体。
【請求項７】
前記カバー体は、前記キャビティ中央部上方を、本体開口部から所定の高さ位置にて遮断する、請求項６に記載のカバー体。
【請求項８】
前記カバー体には、前記本体に対して脱着可能となる手段を備えている、請求項６又は７に記載のカバー体。
【請求項９】
前記カバー体には、当該カバー体に付着した飛散水をキャビティ下方に流下させる案内部材を備えている、請求項６〜８のいずれかに記載のカバー体。
【請求項１０】
前記案内部材は、前記カバー体の一部を切り起こし状に形成されている、請求項５又は９に記載のカバー体。
【発明の詳細な説明】
【０００１】
【発明の属する技術分野】
本発明は、濡れた手を高速温風にて乾燥させる手乾燥装置から飛び散る水を防止するために、水散防止体を取付けた手乾燥装置に関するものである。
【０００２】
【従来の技術】
従来、図６（ａ）に記すように、手乾燥装置１０の本体１２は、前面体、下面体、後面体とから構成する略長方形体である。そして、この本体１２の上部、及び両側部が貫通して略長方形体の空間を形成して、手１の挿入可能なキャビティ（以下、「手乾燥部１１」と記す）として設けてある。この本体１２の後面体の正面上部には、挿入した手１に高速温風を吹き付け可能にノズル１３が下部に向けて設けてある。そして、手乾燥部１１の底面一帯には、ノズル１３から吹き出す高速温風によって、吹き飛ばされる手１に付着している水を受ける皿状の水受部１４が設けてある。また、本体１２の後面体の正面上部には、手乾燥部１１への手１の挿入の有無を検出する手検出手段１５が設けてある。そして、この制御装置１６は、手検出手段１５からの入力信号によってノズル１３から高速温風を吹き出す制御を行う。また、この制御装置１６は、前記高速温風が、使用者の手１に付着している水を吹き飛ばすと共に手１の表面を乾燥させて手１の乾燥が完了して、使用者が、手１を手乾燥部１１から引き出して、前記手検出手段１５からの入力信号が無くなると、ノズル１３から高速温風の吹き出しを終了する制御を行う。
【０００３】
なお、上記に説明した手乾燥装置は、従来より一般的であるので、あえて先行技術文献を記載しない。
【０００４】
【発明が解決しようとする課題】
しかしながら、従来の手乾燥装置では、挿入された手の形態や使用方法によって、ノズルから吹き出された高速温風、及び挿入された手または手乾燥部の内面または水受部に当たって跳ね返る高速温風、によって吹き飛ばされた水（以降、「飛散水」と記す）が、使用者にかかったり、または周辺の壁や床に飛び散り汚れたり、または手乾燥装置を複数台併設時に隣接する手乾燥装置の使用者にかかる、等の問題があった。
本発明は、このような点に鑑みて創案されたものであり、容易に且つ安価に飛散水が手乾燥部から飛び散ることの防止をすることができる手乾燥装置を提供することを課題とする。
【０００５】
【課題を解決するための手段】
請求項１に記載の手乾燥装置１０は、手１を挿入可能な開口部を有し風が供給されるキャビティ（手乾燥部１１）を有する本体１２を備えており、前記開口部は、前記キャビティに対して左右からの手１の挿入を許容する程度に形成され、前記キャビティの中央部上方及び／又はキャビティの側方は遮断されている。
これにより、飛散水が、使用者にかかることへの防止、及び周辺の壁や床に飛び散り汚れることへの防止、及び隣接の手乾燥装置１０の使用者にかかることへの防止をすることができる。
【０００６】
請求項２に記載の手乾燥装置１０には、前記キャビティ（手乾燥部１１）の中央部上方及び／又は前記キャビティの側方は、前記本体１２とは別に備えられるカバー体（水飛散防止体２０）によって遮断されている。
これにより、飛散水が、使用者にかかることへの防止、及び周辺の壁や床に飛び散り汚れることへの防止、及び隣接の手乾燥装置１０の使用者にかかることへの防止をすることができる。
【０００７】
請求項３に記載の手乾燥装置１０には、前記キャビティ（手乾燥部１１）の中央部上方を本体１２の開口部から所定の高さ位置（例えば、１４ｃｍ）を遮断するカバー体（水飛散防止体２０）を備えている。
これにより、前記カバー体を取付けた状態で、使用者は、前記本体１２の上部に付設の操作部（図、符号なし）の操作（例えば、主電源のＯＮ−ＯＦＦ操作）を実施できる。
【０００８】
請求項４に記載の手乾燥装置１０の前記カバー体（水飛散防止体２０）は、前記本体１２に対して脱着可能に取付られている。
これにより、使用者は、前記カバー体を容易に取り外して清掃できるため清潔に保つことができる。
【０００９】
請求項５に記載の手乾燥装置１０のカバー体（水飛散防止体２０、３０）には、前記カバー体の内面に付着した飛散水をキャビティ（手乾燥部１１）の下方に流下させる案内部材（案内体２３、３３）を備えてある。
これにより、前記カバー体の内面に付着の飛散水は、前記案内部材を伝ってキャビティの下方の水受部１４に溜まるため、前記飛散水が本体１２の開口部周辺、及び本体１２の前面から垂れて周辺の床を汚す恐れがない。
【００１０】
請求項６に記載のカバー体（水飛散防止体２０、３０）は、手１を挿入可能な開口部を有し風が供給されるキャビティ（手乾燥部１１）を有する本体１２を備える手乾燥装置１０に装着して、前記開口部を、前記キャビティに対して左右からの手１の挿入を許容すると共に、前記キャビティの中央部上方及び／又はキャビティの側方を遮断する。
これにより、飛散水が、使用者にかかることへの防止、及び周辺の壁や床に飛び散り汚れることへの防止、及び隣接の手乾燥装置１０の使用者にかかることへの防止をすることができる。
【００１１】
請求項７に記載のカバー体（水飛散防止体２０）は、前記キャビティ（手乾燥部１１）の中央部上方の本体１２の開口部から所定の高さ位置（例えば、１４ｃｍ）を遮断している。
これにより、前記カバー体を取付けた状態で、使用者は、前記本体１２の上部に付設の操作部（図、符号なし）の操作（例えば、主電源のＯＮ−ＯＦＦ操作）を実施できる。
【００１２】
請求項８に記載のカバー体（水飛散防止体２０、３０）は、前記本体１２に対して脱着可能な手段を備えている。
これにより、使用者は、前記カバー体を容易に取り外して清掃できるため清潔に保つことができる。
【００１３】
請求項９に記載のカバー体（水飛散防止体２０、３０）には、前記カバー体の内面に付着した飛散水をキャビティ（手乾燥部１１）の下方に流下させる案内部材（案内体２３、３３）を備えている。
これにより、前記カバー体の内面に付着の飛散水は、前記案内部材を伝ってキャビティの下方の水受部１４に溜まるため、前記飛散水が本体１２の開口部周辺、及び本体１２の前面から垂れて周辺の床を汚す恐れがない。
【００１４】
請求項１０に記載のカバー体（水飛散防止体２０、３０）は、前記カバー体の一部を切り起こして案内部材（案内体２３、３３）を形成している。
これにより、前記カバー体と前記案内部材は一体構成のため、部品点数の削減により低コスト化が可能となる。
【００１５】
【発明の実施の形態】
本発明の実施の形態を図面を用いて説明する。図１は、本発明に係る手乾燥装置１０の一実施例を示す全体斜視図である。
【００１６】
手乾燥装置１０の本体１２に関する構成は、従来例と同様であるため同じ部品には同じ符号を符って説明は省略する。そして、この本体１２の前面体の上部には、後述するカバー体（以下、「水飛散防止体２０」と記す）を取付可能にするため脱着手段（例えば、マジックテープ（登録商標））２４ａが付設してある。また、同様に本体１２の側面の両側部には、後述するカバー体（以下、「水飛散防止体３０」と記す）を取付可能にするため脱着手段（例えば、マジックテープ（登録商標））３４ａが付設してある。そして、図１に記すように、この手乾燥部１１の中央部上方には、水飛散防止体２０を取付け、両側方には水飛散防止体３０を取付け、それぞれ手乾燥部１１を覆っているため、飛散水は、手乾燥部１１から外に飛び散り難くなっている。
以下に、水飛散防止体２０、３０についてそれぞれ説明する。
【００１７】
まず、図２〜図３を参照して水飛散防止体２０について説明する。図２は、水飛散防止体２０の全体斜視図である。図３（ａ）は、水飛散防止体２０を、手乾燥装置１０の手乾燥部１１の中央部上方に設けた状態について説明する平面図である。
図３（ｂ）は、その正面図である。図３（ｃ）は、前記正面図のＡ−Ａ断面図である。この水飛散防止体２０は、図２に記すように、例えば、前プレート２５、上プレート２６、後プレート２７とから構成する略コ字形状であり、手乾燥装置１０の手乾燥部１１の中央部上方を覆うように取付けて使用する。このように、水飛散防止体２０は、上プレート２６に対して前プレート２５及び後プレート２７を支持脚部となるように構成してあり、本体１２の開口部から所定の高さ位置（例えば、１４ｃｍ）を遮断している。そのために、この水飛散防止体２０を手乾燥装置１０に取付けた状態で、使用者は、前記本体１２の上部に付設の操作部（図、符号なし）の操作（例えば、主電源のＯＮ−ＯＦＦ操作）を実施できる。また、この水飛散防止体２０の両側部には、例えば前プレート２５の中部から後プレート２７中部に到るまで、切欠部２１を形成して、図３（ａ）、図３（ｂ）に記すように、使用者が、肘を略折り曲げずに前記切欠部２１から手乾燥部１１に手１を挿入し易く、また挿入した手１の全体に高速温風を行き渡らすために肘を回転し易くなっている。また、前プレート２５の内面下部には、前記本体１２に付設の脱着手段２４ａに対応する位置に、脱着手段（例えば、マジックテープ（登録商標））２４ｂを付設してある。そして、この水飛散防止体２０は、後プレート２７の下端部を、手乾燥装置１０の本体１２の上プレートに載置すると共に、この前プレート２５の内面下部を、手乾燥装置１０の本体１２の正面上部において前記脱着手段２４ａ、２４ｂで固定する。
このように、水飛散防止体２０は、手乾燥装置１０の上部に簡便に脱着可能に取付けて固定されており、容易に取り外して清掃できるため清潔に保つことができる。
【００１８】
上述したように、水飛散防止体２０の前プレート２５の内面と、手乾燥装置１０の本体１２の前面体と面接触して取付ているために、水飛散防止体２０の前プレート２５の内面に付着している飛散水は、使用中にあっては、本体１２の開口部周辺に飛散し、またこの水飛散防止体２０を本体１２から取り外す際に、垂れて周辺の床を汚す恐れがある。その防止のために、図３（ｃ）に記すように、前プレート２５の下部及び両側部には、略コ字形状の切り込み２２を付設して、この切り込み２２を水飛散防止体２０の内側へ切り起こして案内部材（以下、「案内体２３」と記す）を形成している。そして、この案内体２３は、本体１２の上端部まで切り起こしているため、水飛散防止体２０を本体１２から取り外した際も、水飛散防止体２０の前プレート２５の内面に付着している飛散水は、手乾燥部１１側へ垂れて水受部１４に溜まる構成となる。
以上のようにして、水飛散防止体２０の前プレート２５の内面に付着する飛散水が本体１２の開口部周辺、及び本体１２の前面から垂れて周辺の床を汚す恐れは解消されている。
【００１９】
次に、図４〜図５を参照して水飛散防止体３０について説明する。図４は、水飛散防止体３０の全体斜視図である。図５（ａ）は、水飛散防止体３０を、手乾燥装置１０の手乾燥部１１の側方に設けた状態について説明する平面図である。
図５（ｂ）は、その正面図である。図５（ｃ）は、前記正面図のＢ−Ｂ断面図である。この水飛散防止体３０は、例えば、図４に記すように、略長方形薄板状であり、手乾燥装置１０の手乾燥部１１の側方を覆うように取付けてある。そして、図５（ａ）、図５（ｂ）に記すように、水飛散防止体３０の内面両側部には、前記本体１２に付設の脱着手段３４ａに対応する位置に、脱着手段（例えば、マジックテープ（登録商標））３４ｂを付設している。そして、この水飛散防止体３０の内面を手乾燥装置１０の本体１２の側部において前記脱着手段３４ａ、３４ｂで固定する。
このように、水飛散防止体３０は、手乾燥装置１０の側部に簡便に脱着可能に取付けて固定されており、容易に取り外して清掃できるため清潔に保つことができる。
【００２０】
上述したように、水飛散防止体３０の内面と、手乾燥装置１０の本体１２の側部と面接触して取付しているために、水飛散防止体３０の内面に付着している飛散水は、この水飛散防止体３０を本体１２から取り外す際に、垂れて周辺の床を汚す恐れがある。その防止のために、図４に記すように、水飛散防止体３０の両側部には、上部から下端部に至る切り込み３２を付設して、この切り込み３２を水飛散防止体３０の内側へ切り起こして案内部材（以下、「案内体３３」と記す）を形成している。そして、図５（ｃ）に記すように、この案内体３３は、手乾燥部１１の内部まで切り起こしているため、水飛散防止体３０を本体１２から取り外した際も、水飛散防止体３０の内面に付着している飛散水は、手乾燥部１１側へ垂れて水受部１４に溜まる構成となる。
以上のようにして、水飛散防止体３０の内面に付着する飛散水が本体１２の側面から垂れて周辺の床を汚す恐れは解消されている。
【００２１】
また、水飛散防止体３０は、本体１２側方の開口部を覆って取付ているが、前記水飛散防止体３０の一部を切り起こして案内体３３を形成しているために、手乾燥部１１の側部において外部と連通し、ノズル１３からの高速温風の逃がし口にもなっており、飛散水の上方への吹き上げを押さえている。
【００２２】
また、前記水飛散防止体２０、３０に透明薄板（例えば、アクリル板）を用いてるために、手乾燥部１１に挿入している手１の状態、及び水受部１４の水の溜まり状態等も使用者は容易に確認できる。
また、案内体２３、３３のそれぞれ切り起こす角度は、付着した飛散水が水受部１４に誘導されやすいように、使用する手乾燥装置１０に合わせて適宜選定し得る。
【００２３】
上述した内容は、あくまでも本発明の一実施の形態に関するものであって、本発明が上記内容に限定されることを意味するものではない。例えば、本実施の形態では、手乾燥装置１０の本体１２にカバー体（水飛散防止体２０、３０）を取り付けている例を説明したが、これに限定されるものでなく、前記本体１２に前記カバー体を予め一体構成しても良く、その場合には部品点数の削減により低コスト化が可能となる。
また、本実施の形態では、水飛散防止体２０、３０を三体構成にして手乾燥装置１０の本体１２に取付ける例を説明したが、一体構成しても良く、その場合には部品点数の削減により低コスト化が可能となる。
また、本実施の形態では、水飛散防止体２０の前プレート２５、及び水飛散防止体３０からそれぞれ案内体２３、３３を切り起こす例を説明したが、これに限定されるものでなく、例えば、案内体２３、３３をそれぞれ切り起こしと同形状となるように付設しても構わない。その場合には、水飛散防止体３０の下部に高速温風の逃がし口を適宜備え得る。
また、本実施の形態では、前プレート２５の中部から後プレート２７中部に到るまでの両側部に切欠部２１を形成する例を説明したが、これに限定されるものでなく、使用者が、肘を略折り曲げずに前記切欠部２１から手乾燥部１１に手１を挿入し易く、また挿入した手１の全体に高速温風を行き渡らすために肘を回転し易くなっていれば、切欠部２１を形成していなくても構わない。
また、本実施の形態では、水飛散防止体２０は、前プレート２５、上プレート２６、後プレート２７とから構成する略コ字形状である例を説明したが、これに限定されるものでなく、手乾燥部１１の中央部を覆う構成であれば略半楕円形状でも構わない。
【００２４】
【発明の効果】
以上説明したように、請求項１〜５のいずれかに記載の手乾燥装置１０を用いれば、容易に且つ安価に飛散水が手乾燥部から飛び散ることの防止をすることができる。また、請求項６〜１０のいずれかに記載のカバー体を用いれば、容易に且つ安価に飛散水が手乾燥部から飛び散ることの防止をすることができる。
【図面の簡単な説明】
【図１】本発明に係るカバー体を手乾燥装置１０に備えた一実施例を示す全体斜視図である。
【図２】水飛散防止体２０の全体斜視図である。
【図３】（ａ）は、水飛散防止体２０を、手乾燥装置１０の手乾燥部１１の中央部上方に設けた状態について説明する平面図である。（ｂ）は、その正面図である。（ｃ）は前記正面図のＡ−Ａ断面図である。
【図４】水飛散防止体３０の全体斜視図である。
【図５】（ａ）は、水飛散防止体３０を、手乾燥装置１０の手乾燥部１１の側方に設けた状態について説明する平面図である。（ｂ）は、その正面図である。（ｃ）は、前記正面図のＢ−Ｂ断面図である。
【図６】従来の手乾燥装置１０について説明する図である。
【符号の説明】
１      手
１０    手乾燥装置
１２    本体
１１    手乾燥部
１３    ノズル
２０、３０    水飛散防止体
２１    切欠部
２３、３３    案内体
２４ａ、２４ｂ、３４ａ、３４ｂ    脱着手段
２５    前プレート
２６    上プレート
２７    後プレート
【図１】
2004275507.tif 000003
【図２】
2004275507.tif 000004
【図３】
2004275507.tif 000005
【図４】
2004275507.tif 000006
【図５】
2004275507.tif 000007
【図６】
2004275507.tif 000008